(57)【要約】    【課題】呼出通話のシステムを従来のナースコールシステムで構築し、呼出発信機の位置検出のシステムをパーソナルコンピュータで構築する。    【解決手段】本発明のナースコールシステムは、患者が携帯する呼出発信機２ａ、２ｂ、２ｃ、２ｄから送出される呼出電波及び発信機ＩＤを受信し、呼出電波の電界強度、発信機ＩＤおよび受信機ＩＤを送出する受信機３ａ、３ｂ、３ｃと、発信機ＩＤによって呼び出した患者を表示し、受信機ＩＤおよび呼出電波の電界強度または到達時間から呼出発信機の位置またはエリアを特定するための親機６とを有する電波受信系統Ｌ１と、ベッド子機１ａ、１ｂ、１ｃ、１ｄから送信されベッドＩＤを付加した呼出信号、受信機を経由し呼出発信機から送出された呼出電波を送出するアダプタ４ａ、４ｂ、４ｃを有し、呼出信号、呼出電波により呼び出しを報知し、ベッドＩＤを受信した場合にはベッド子機からの呼び出しであることを表示して相互に通話する呼出通話系統Ｌ４、Ｌ５、Ｌ６、Ｌ７を備える。    【選択図】図１
2005244775.tif 000002
【特許請求の範囲】
【請求項１】
患者が携帯する呼出発信機（２ａ、２ｂ、２ｃ、２ｄ、・・・）から送出される呼出電波及び発信機ＩＤを受信し、前記呼出電波の電界強度、前記発信機ＩＤおよび受信機ＩＤを送出する受信機（３ａ、３ｂ、３ｃ、・・・）、前記発信機ＩＤによって呼び出した患者を表示し、前記受信機ＩＤおよび前記呼出電波の電界強度または到達時間から前記呼出発信機の位置またはエリアを特定するための親機（６）を有する電波受信系統（Ｌ１）と、
ベッド子機（１ａ、１ｂ、１ｃ、１ｄ、・・・）から送信されベッドＩＤを付加した呼出信号、前記受信機を経由し前記呼出発信機から送出された呼出電波を送出するアダプタ（４ａ、４ｂ、４ｃ、・・・）を有し、前記呼出信号、前記呼出電波により呼び出しを報知し、前記ベッドＩＤを受信した場合にはベッド子機からの呼び出しであることを表示して相互に通話する呼出通話系統（Ｌ４、Ｌ５、Ｌ６、Ｌ７）とを備えたことを特徴とするナースコールシステム。
【請求項２】
前記受信機に近接して設けられ、画像を撮像し、ＴＣＰ／ＩＰ等のデジタルデータプロトコルによって撮像した映像信号を送信するカメラ（５ａ、５ｂ、５ｃ、・・・）を備えることにより、
前記呼出発信機から呼び出しがあった場合に、前記受信機ＩＤに基づいて前記患者を撮像できるカメラを特定し、前記カメラから送信される画像を前記親機に表示させることを特徴とする請求項１記載のナースコールシステム。
【請求項３】
前記受信機および前記カメラは、ハブ（８）に共用・接続されていることを特徴とする請求項１または請求項２記載のナースコールシステム。
【請求項４】
前記呼出発信機から一定時間毎に送信される間欠呼出電波を各所に設置した前記受信機で受信し、前記間欠呼出電波の電界強度または到達時間のデータ値に変化がない場合、または前記データ値が所定の範囲で変化する場合は、前記呼出発信機を携帯する患者が動けない状態と判断し、前記受信機ＩＤに基づいて前記患者を撮像できるカメラを特定し、前記カメラから送信される画像を前記親機に表示させることを特徴とする請求項２または請求項３記載のナースコールシステム。
【請求項５】
前記呼出発信機の位置情報より前記呼出発信機を携帯する患者が危険区域に近づいたと判断した場合、前記受信機ＩＤに基づいて前記患者を撮像できるカメラを特定し、前記カメラから送信される画像を前記親機に表示させることを特徴とする請求項２乃至請求項４何れか１項記載のナースコールシステム。
【請求項６】
前記呼出発信機の位置情報をもとに前記親機からの操作で前記呼出発信機を携帯する患者を撮像できるカメラを特定し、前記カメラから送信される画像を前記親機に表示させることを特徴とする請求項２乃至請求項５何れか１項記載のナースコールシステム。
【請求項７】
前記呼出発信機の位置情報をもとに、前記患者を撮像できる複数のカメラを特定し、前記複数のカメラから送信される画像をポップアップ等のマルチウィンドウシステムを用いて前記親機に表示させることを特徴とする請求項２乃至請求項６何れか１項記載のナースコールシステム。
【請求項８】
前記アダプタは、前記受信機を経由して前記呼出発信機から受信した呼出電波に無線発信フラグを付加して送出し、前記親機は無線発信フラグを受信した場合には呼出発信機からの呼び出しであることを前記呼出通話系統に送信することを特徴とする請求項１乃至請求項７何れか１項記載のナースコールシステム。
【請求項９】
前記アダプタは、空きベッドのチャンネルを流用して前記受信機と接続することを特徴とする請求項１乃至請求項８何れか１項記載のナースコールシステム。
【請求項１０】
前記親機は、前記電波受信系統に接続された電波系親機（６ａ）と、前記呼出通話系統に接続された呼出通話系親機（６ｂ）とを備えたことを特徴とする請求項１乃至請求項９何れか１項記載のナースコールシステム。
【発明の詳細な説明】
【技術分野】
【０００１】
本発明は、ナースコールシステムに係り、特に患者が携帯する呼出発信機から送出される呼出電波及び発信機ＩＤを受信し、呼出電波の電界強度、発信機ＩＤおよび受信機ＩＤを送出することができる受信機を備えるナースコールシステムに関する。
【背景技術】
【０００２】
従来から、この種のナースコールシステムとして、一部を無線化し、重要な部分（呼び出しを確保して患者を確実にケアしなければならない部分）を有線として、当該有線を電源供給用や呼出信号伝送用として、患者からの呼び出しをナースセンター内の表示装置に表示させるものが知られている（例えば、特許文献１参照）。
【０００３】
このような構成のナースコールシステムによれば、ナースセンター内に設置される機器（親機）と病室に設置される機器（ベッド子機）間を接続する電源線を、機器への電源供給用と呼出信号伝送用として使用することにより、配線工事を大幅に軽減し、経済性に優れ、かつ緊急時に確実にナースセンターを呼び出すことができる。
【０００４】
しかしながら、このような構成のナースコールシステムにおいては、通常のナースコールシステムに無線式の子機（呼出発信機）を付加してシステムが構築されるため、無線式の子機専用のアダプタや制御装置を別途用意しなければならず、コスト的に割高になるという難点があった。また、このようなナースコールシステムにおいては、呼出信号や患者情報などの全てのデータがアダプタを介して制御装置へ送信されることから、当該制御装置が過負荷状態になり、データを迅速に処理することが困難になる虞があった。
【０００５】
【特許文献１】特開平１０−１６５３７６号公報  （段落番号「０００９」、「００４８」、図１）
【発明の開示】
【発明が解決しようとする課題】
【０００６】
本発明は、上述の難点を解消するためになされたもので、呼出通話を従来のナースコールシステムで構築し、無線式の子機（呼出発信機）の位置検出をパーソナルコンピュータで構築することができるナースコールシステムを提供することを目的としている
【課題を解決するための手段】
【０００７】
本発明の第１の態様であるナースコールシステムは、患者が携帯する呼出発信機から送出される呼出電波及び発信機ＩＤを受信し、呼出電波の電界強度、発信機ＩＤおよび受信機ＩＤを送出する受信機、発信機ＩＤによって呼び出した患者を表示し、受信機ＩＤおよび呼出電波の電界強度または到達時間から呼出発信機の位置またはエリアを特定するための親機を有する電波受信系統と、ベッド子機から送信されベッドＩＤを付加した呼出信号、受信機を経由し呼出発信機から送出された呼出電波を送出するアダプタを有し、呼出信号、呼出電波により呼び出しを報知し、ベッドＩＤを受信した場合にはベッド子機からの呼び出しであることを表示して相互に通話する呼出通話系統とを備えたものである。
【０００８】
本発明の第２の態様は、本発明の第１の態様であるナースコールシステムにおいて、受信機に近接して設けられ、画像を撮像し、ＴＣＰ／ＩＰ等のデジタルデータプロトコルによって撮像した映像信号を送信するカメラを備えることにより、呼出発信機から呼び出しがあった場合に、受信機ＩＤに基づいて患者を撮像できるカメラを特定し、カメラから送信される画像を親機に表示させるものである。
【０００９】
本発明の第３の態様は、本発明の第１の態様または第２の態様であるナースコールシステムにおいて、受信機およびカメラは、ハブに共用・接続されているものである。
【００１０】
本発明の第４の態様は、本発明の第２の態様または第３の態様であるナースコールシステムにおいて、呼出発信機から一定時間毎に送信される間欠呼出電波を各所に設置した受信機で受信し、間欠呼出電波の電界強度または到達時間のデータ値に変化がない場合、またはデータ値が所定の範囲で変化する場合は、呼出発信機を携帯する患者が動けない状態と判断し、受信機ＩＤに基づいて患者を撮像できるカメラを特定し、カメラから送信される画像を親機に表示させるものである。
【００１１】
本発明の第５の態様は、本発明の第２の態様乃至第４の態様の何れかの態様であるナースコールシステムにおいて、呼出発信機の位置情報より呼出発信機を携帯する患者が危険区域に近づいたと判断した場合、受信機ＩＤに基づいて患者を撮像できるカメラを特定し、カメラから送信される画像を親機に表示させるものである。
【００１２】
本発明の第６の態様は、本発明の第２の態様乃至第５の態様の何れかの態様であるナースコールシステムにおいて、呼出発信機の位置情報をもとに親機からの操作で呼出発信機を携帯する患者を撮像できるカメラを特定し、カメラから送信される画像を親機に表示させるものである。
【００１３】
本発明の第７の態様は、本発明の第２の態様乃至第６の態様の何れかの態様であるナースコールシステムにおいて、呼出発信機の位置情報をもとに、患者を撮像できる複数のカメラを特定し、複数のカメラから送信される画像をポップアップ等のマルチウィンドウシステムを用いて親機に表示させるものである。
【００１４】
本発明の第８の態様は、本発明の第１の態様乃至第７の態様の何れかの態様であるナースコールシステムにおいて、アダプタは、受信機を経由して呼出発信機から受信した呼出電波に無線発信フラグを付加して送出し、親機は無線発信フラグを受信した場合には呼出発信機からの呼び出しであることを呼出通話系統に送信するものである。
【００１５】
本発明の第９の態様は、本発明の第１の態様乃至第８の態様の何れかの態様であるナースコールシステムにおいて、アダプタは、空きベッドのチャンネルを流用して受信機と接続するものである。
【００１６】
本発明の第１０の態様は、本発明の第１の態様乃至第９の態様の何れかの態様であるナースコールシステムにおいて、親機は、電波受信系統に接続された電波系親機と、呼出通話系統に接続された呼出通話系親機とを備えたものである。
【発明の効果】
【００１７】
本発明の第１の態様乃至第１０の態様のナースコールシステムによれば、呼出通話のシステムを従来のナースコールシステムで構築し、呼出発信機の位置検出のシステムをパーソナルコンピュータで構築することができることから、従来のアダプタや制御装置を用いて、呼出発信機を有する無線式のナースコールシステムを提供することができる。また、付随的に次のような効果も奏する。
【００１８】
第１に、受信機ＩＤによって患者が携帯する呼出発信機の位置またはエリアを特定することができることから、患者を探し回らなくても、患者への対応を迅速に行なうことができる。
【００１９】
第２に、受信機に近接して設けられたカメラから患者の画像が送信されてくることから、患者の様子をカメラで確認することができ、ひいては当該患者に対して緊急の対応を要するか否かの判断を容易に行なうことができる。
【００２０】
第３に、ハブを備えていることから、受信機とカメラとを共用で接続することができる。
【００２１】
第４に、呼出発信機から一定時間毎に送信される間欠呼出電波を各所に設置した受信機で受信し、間欠呼出電波の電界強度のデータ値に変化がない場合またはデータ値が所定の範囲で変化する場合は、呼出発信機を携帯する患者が動けない状態と判断し、受信機ＩＤに基づいて患者を撮像できるカメラを特定し、当該カメラから送信される画像をパーソナルコンピュータ等から成る親機に表示させることができることから、呼出をかけることもできずに倒れて動けなくなった患者でも、自動的に発見でき、患者への対応が手遅れになることを防止することができる。
【００２２】
第５に、呼出発信機の位置情報より呼出発信機を携帯する患者が危険区域に近づくと、近接するカメラから当該患者の画像が送信され、パーソナルコンピュータ等から成る親機に表示させることができることから、患者が別の病棟や看護対応が困難な場所へ移動することを事前に防止することができる。
【００２３】
第６に、呼出発信機の位置情報をもとに、パーソナルコンピュータ等から成る親機からの操作で患者を撮像できるカメラを特定し、当該カメラから送信される画像を親機に表示させることができる、ひいては、患者がどこにいてもその状態を容易に把握することができる。
【発明を実施するための最良の形態】
【００２４】
以下、本発明のナースコールシステムを適用した実施の形態例について、図面を参照して説明する。ここで、図１は、本発明の一実施例におけるナースコールシステムのブロック図を示している。
【００２５】
同図において、本発明のナースコールシステムは、各病室の患者用ベッド付近にそれぞれ設置された第１〜第４のベッド子機１ａ、１ｂ、１ｃ、１ｄと、第１〜第４のベッド子機１ａ、１ｂ、１ｃ、１ｄごとに割り当てられ、各患者が携帯する第１〜第４の呼出発信機２ａ、２ｂ、２ｃ、２ｄと、例えば病室に設置された第１の受信機３ａおよび第１のアダプタ４ａと、例えばトイレに設置された第２の受信機３ｂおよび第２のアダプタ４ｂと、例えば共用部等に設置された第３の受信機３ｃおよび第３のアダプタ４ｃと、第１〜第３の受信機３ａ、３ｂ、３ｃにそれぞれ近接して設けられ、ＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）等のデジタルデータプロトコルによって撮像した映像信号を送信する第１〜第３のカメラ５ａ、５ｂ、５ｃと、ナースステーション内に設置された親機６と、共用部等に設置された制御装置７と、カメラと共用で接続できるハブ８（ＨＵＢ）と、サーバー９とを備えている。また、親機６は、電波受信系統に接続されるパーソナルコンピュータ等から成る第１の親機（以下、適宜「電波系親機」という。）６ａと、呼出通話系統に接続される第２の親機（以下、適宜「呼出通話系親機」という。）６ｂとを備え、第１〜第３のアダプタ４ａ、４ｂ、４ｃは、それぞれ同様の構成とされ、それぞれ第１〜第３の受信機３ａ、３ｂ、３ｃに接続できる受信機インターフェイス（以下「受信機Ｉ／Ｆ」という。）４１と、ベッド子機が使用するチャンネルおよび呼出発信機が空きベッドのチャンネルを流用して使用するチャンネル（不図示）を備え、第１〜第３の受信機３ａ、３ｂ、３ｃは、それぞれ同様の構成とされ、それぞれ受信機Ｉ／Ｆ４１に接続できるアダプタインターフェイス（以下「アダプタＩ／Ｆ」という。）３２および第１の親機（電波系親機）６ａに接続できるＰＣインターフェイス（以下「ＰＣ・Ｉ／Ｆ」という。）３１を備えている。なお、第７の伝送路Ｌ７は第１〜第４の子機伝送路Ｌ７ａ、Ｌ７ｂ、Ｌ７ｃ、Ｌ７ｄで、第９の伝送路Ｌ９はＬＡＮケーブル等で構成される第１〜第４のカメラ伝送路Ｌ９ａ、Ｌ９ｂ、Ｌ９ｃ、Ｌ９ｄでそれぞれ構成されている。
【００２６】
ここで、第１の親機（電波系親機）６ａは、第１の伝送路Ｌ１を介して第１〜第３の受信機３ａ、３ｂ、３ｃのＰＣ・Ｉ／Ｆ３１に、第２の伝送路Ｌ２を介して第２の親機（呼出通話系親機）６ｂに、第３の伝送路Ｌ３を介してハブ８にそれぞれ接続され、第１〜第３の受信機３ａ、３ｂ、３ｃのアダプタＩ／Ｆ３２には、それぞれ第４の伝送路Ｌ４を介して対応する第１〜第３のアダプタ４ａ、４ｂ、４ｃの受信機Ｉ／Ｆ４１が、第２の親機（呼出通話系親機）６ｂには第５の伝送路Ｌ５を介して制御装置７がそれぞれ接続されている。また、制御装置７は、第６の伝送路Ｌ６を介して第１〜第３のアダプタ４ａ、４ｂ、４ｃに接続され、第１のアダプタ４ａには第１の子機伝送路Ｌ７ａを介して第１のベッド子機１ａが、第２の子機伝送路Ｌ７ｂを介して第２のベッド子機１ｂが、第３の子機伝送路Ｌ７ｃを介して第３のベッド子機１ｃが、第４の子機伝送路Ｌ７ｄを介して第４のベッド子機１ｄがそれぞれ接続されている。さらに、ハブ８は、第８の伝送路Ｌ８を介してサーバーに、第１〜第４のカメラ伝送路Ｌ９ａ、Ｌ９ｂ、Ｌ９ｃ、Ｌ９ｄを介して第１〜第３のカメラ５ａ、５ｂ、５ｃにそれぞれ接続されている。なお、上述の第１〜第３の受信機３ａ、３ｂ、３ｃは、次のようにして対応する第１〜第３のアダプタ４ａ、４ｂ、４ｃのチャンネルに接続されている。すなわち、通常、病室には６個のベッド子機１ａ、１ｂ、１ｃ、１ｄ、・・・が設置されるものとして、これらのベッド子機１ａ、１ｂ、１ｃ、１ｄ、・・・を接続する第１〜第３のアダプタ４ａ、４ｂ、４ｃにはそれぞれ６個の接続チャンネルが装備されている。ところが、この実施例では、１室に４個のベッド子機１ａ、１ｂ、１ｃ、１ｄが設置されているため、第１〜第３のアダプタ４ａ、４ｂ、４ｃにはそれぞれ２個の空ベッドのチャンネルが存在することになる。そこで、この実施例においては、２個の空ベッドのチャンネルのうち、１個の空ベッドのチャンネルを流用して対応する第１〜第３の受信機３ａ、３ｂ、３ｃが接続されている。
【００２７】
次に、本発明のナースコールシステムの動作について説明する。なお、本発明のナースコールシステムにおいては、第２の親機（呼出通話系親機）６ｂの有する通話機能と第１〜第４のベッド子機１ａ、１ｂ、１ｃ、１ｄの有する通話機能との間に、第５の伝送路Ｌ５、制御装置７、第６の伝送路Ｌ６、第１のアダプタ４ａおよび第７の伝送路Ｌ７に至る系統（以下「呼出通話系統」という。）を介して通話路が形成される点は、従来のナースコールシステムと同様であることから詳細な説明を省略する。
【００２８】
まず、例えば病室内のある患者（以下「第１の患者」という。）が第１の患者に割り当てられた呼出発信機（以下「第１の呼出発信機」という。）２ａの呼出ボタン（不図示）を押下すると、第１の呼出発信機２ａから第１の呼出発信機２ａに係る発信機ＩＤ（以下「第１の発信機ＩＤ」という。）を含有する呼出電波（以下「第１の呼出電波」という。）が第１〜第３の受信機３ａ〜３ｃに向けて送信される。
【００２９】
かかる第１の呼出電波が第１の受信機３ａで受信されると、第１の受信機３ａのＰＣ・Ｉ／Ｆ（以下「第１のＰＣ・Ｉ／Ｆ」という。）３１から、受信時における電界強度データ（または受信を判別するデータ）、第１の発信機ＩＤおよび第１の受信機３ａに係るＩＤ（以下「第１の受信機ＩＤ」という。）を含有するデータ（以下「第１のデータ」という。）が出力され、かかる第１のデータが第１の伝送路Ｌ１の系統（以下「電波受信系統」という。）を介して第１の親機（電波系親機）６ａへ送信される。同様にして、第２、第３の受信機３ｂ、３ｃのＰＣ・Ｉ／Ｆ（以下「第２、第３のＰＣ・Ｉ／Ｆ」という。）３１から、受信時における電界強度データ（または受信を判別するデータ）、第１の発信機ＩＤおよび第２、第３の受信機３ｂ、３ｃに係るＩＤ（以下「第２、第３の受信機ＩＤ」という。）を含有するデータ（以下「第２、第３のデータ」という。）が出力され、かかる第２、第３のデータが電波受信系統Ｌ１を介して第１の親機（電波系親機）６ａへ送信される。
【００３０】
ここで、第１の親機（電波系親機）６ａにおいて、第１〜第３のデータを構成する電界強度データの最大値を判定することで、第１の呼出発信機２ａに最も近接している例えば第２の受信機３ｂが特定される。すなわち、例えば、第１〜第３のデータを構成する電界強度データのうち、第２のデータを構成する電界強度データが最大値であると判定されると、トイレに設置した第２の受信機３ｂの近傍に第１の呼出発信機２ａが位置していると判断される。
【００３１】
このようにして、第１の呼出発信機２ａの位置が特定されると、第１の親機（電波系親機）６ａから、第１の発信機ＩＤを含有する発信機位置確定信号が出力され、かかる発信機位置確定信号が電波受信系統Ｌ１を介して第２のＰＣ・Ｉ／Ｆ３１へ送信される。かかる発信機位置確定信号が第２のＰＣ・Ｉ／Ｆ３１へ入力されると、第２の受信機３ｂのアダプタＩ／Ｆ（以下「第２のアダプタＩ／Ｆ」という。）３２から呼出信号（以下「第１の呼出信号」という。）が出力され、かかる第１の呼出信号が第４の伝送路Ｌ４を介して第２のアダプタ４ｂの受信機Ｉ／Ｆ（以下「第２の受信機Ｉ／Ｆ」という。）４１へ入力される。また、第１の呼出信号が第２の受信機Ｉ／Ｆ４１へ入力されると、第２のアダプタ４ｂから第２のアダプタ４ｂに係るＩＤ（以下「第２のアダプタＩＤ」という。）を含有する呼出検出信号（以下「第１の呼出検出信号」という。）が空きベッドのチャンネルを流用して出力され、かかる第１の呼出検出信号が第６の伝送路Ｌ６を介して制御装置７へ伝送される。
【００３２】
かかる第１の呼出検出信号が制御装置７で検出されると、制御装置７から第２のアダプタＩＤを含有する呼出制御信号（以下「第１の呼出制御信号」という。）が出力され、かかる第１の呼出制御信号が第５の伝送路Ｌ５を介して第２の親機（呼出通話系親機）６ｂへ送信される。これにより、第２の親機（呼出通話系親機）６ｂに対して第１の患者からの呼出表示が行なわれ、第２のアダプタ４ｂに予め割り当てられた表示灯（不図示）が点滅する。また、第１の呼出制御信号は、第２の親機（呼出通話系親機）６ｂおよび第２の伝送路Ｌ２を介して第１の親機（電波系親機）６ａへ送信され、かかる第１の呼出制御信号が第１の親機（電波系親機）６ａで検出されると、第１の親機（電波系親機）６ａの記憶装置（不図示）に記憶された患者情報に関するデーターベースおよび受信機設置場所に関するデーターベースと、第１の発信機ＩＤおよび第２のアダプタＩＤとが照合される。これにより、第１の呼出発信機２ａを携帯する患者（この実施例では第１の患者）の氏名等を示す患者管理データ、患者の救護区分などを示す医療・看護データ（以下「第１の患者データ」という。）および第１の患者が呼び出しをかけた場所（この実施例ではトイレ）が第１の親機（電波系親機）６ａを構成するタッチパネル付ＬＣＤ等の表示部（不図示）にポップアップ表示される。ここで、前述の患者情報に関するデータや受信機設置場所に関するデータは、情報取得コマンドを第１の親機（電波系親機）６ａから第３の伝送路Ｌ３、ハブ８および第８の伝送路Ｌ８を介してサーバ９へ送信し、当該サーバ９から入手するようにしてもよい。
【００３３】
次に、本発明のナースコールシステムの付加機能について説明する。
【００３４】
第１に、各受信機３ａ、３ｂ、３ｃにそれぞれカメラ５ａ、５ｂ、５ｃが近接して設置されている場合は、第１の親機６によって、例えば第１の呼出発信機２ａの位置が特定されると、かかる第１の呼出発信機２ａの位置情報に基づいて、次のようにして、第１の患者を撮像するカメラ（この実施例では第２のカメラ５ｂ）が特定される。すなわち、第１の親機（電波系親機）６ａにおいて、第１の呼出発信機２ａが例えば第２の受信機３ｂのエリア付近に位置していると特定されると、第１の親機（電波系親機）６ａの記憶装置に記憶された第２の受信機３ｂとカメラアドレスとの対応テーブルから、当該トイレに設置された第２のカメラ５ｂのＩＰアドレスが特定される。
【００３５】
ここで、看護師が第１の親機（電波系親機）６ａに対して第２のカメラ５ｂの出画要求ボタン（不図示）を操作すると、第１の親機（電波系親機）６ａは第２のカメラ５ｂのＩＰアドレスに出画要求信号を送り、第２のカメラ５ｂによって第１の患者および第２の受信機３ｂのエリア付近の画像が撮像され、撮像された映像信号がＴＣＰ／ＩＰ等のデジタルデータプロトコルによって第２のＬＡＮケーブルＬ９ｂ、ハブ８および第３の伝送路Ｌ３を介して第１の親機（電波系親機）６ａへ送信され、当該第１の親機（電波系親機）６ａの表示部に第１の患者の画像が表示される。
【００３６】
この実施例によれば、第１の呼出発信機２ａに近接する第２の受信機３ｂの位置から、第１の患者の位置を確認することができ、また、第２のカメラ５ｂから送信される画像から第１の患者の様子を確認することができることから、第１の患者を探し回る必要がなくなり、さらに、第１の患者に対して緊急の対応が必要かどうかを容易にかつ迅速に判断することができる。
【００３７】
第２に、例えば第１の呼出発信機２ａから、一定時間毎に電波を送信（以下［間欠送信電波］と言う。）し、かかる間欠送信電波を各所に設置した第１〜第３の受信機３ａ〜３ｃで受信して、第１の呼出発信機２ａの位置を特定するようにしてもよい。
【００３８】
この実施例においては、各受信機３ａ、３ｂ、３ｃから電波受信系統Ｌ１を介して第１の親機（電波系親機）６ａへ送信される第１〜第３のデータにおける電界強度データの変化を判定することで、第１の患者の非常事態を把握することができる。
【００３９】
すなわち、例えば前述のようにして、第１の患者の位置が第２の受信機３ｂのエリア付近と特定され、かつ第２のデータを構成する電界強度または到達時間のデータの値に変化がないか、若しくは電界強度データの値が一定の範囲で変化している場合は、第１の親機（電波系親機）６ａから、第１の発信機ＩＤを含有する患者非常事態確定信号が出力され、かかる患者非常事態確定信号が前述の発信機位置確定信号と同様の系統を経由して第１、第２の親機６ａ、６ｂへ送信される。これにより、第２の親機（呼出通話系親機）６ｂに対して第１の患者が非常事態にある旨の呼出表示が行なわれ、第１の親機（電波系親機）６ａの表示部に、第１の患者データおよび第１の患者の位置として特定された第２の受信機３ｂの位置（トイレ）をポップアップ表示させることができる。さらに、前述と同様にして、第２のカメラ５ｂによって撮像された第１の患者およびトイレ付近の画像をポップアップ表示させることができる。
【００４０】
第３に、第１の親機（電波系親機）６ａの受信機設置場所に関するデーターベースに危険区域を分類しこれを記憶させた場合には、患者が危険区域、例えば看護対応が困難な場所（例えば他の病棟）へ移動することを事前に防止することができる。
【００４１】
すなわち、例えば、第１の呼出発信機２ａを携帯する第１の患者が、危険区域に設置された受信機（なお、以下の実施例においては、説明を簡単にするため、第２の受信機３ｂが危険区域の付近に設置されているものとして説明する。）に近づくと、第１の親機（電波系親機）６ａから、第１の発信機ＩＤを含有する危険区域接近確定信号が出力され、かかる危険区域接近確定信号が前述の発信機位置確定信号と同様の系統を経由して第１、第２の親機６ａ、６ｂへ送信される。これにより、第２の親機（呼出通話系親機）６ｂに対して第１の患者が危険区域に近づいている旨の呼出表示が行なわれ、第１の親機（電波系親機）６ａの表示部に、危険区域（この実施例では第２の受信機３ｂ）と、第１の患者が危険区域に接近していること旨をポップアップ表示させることができる。さらに、前述と同様にして、第２のカメラ５ｂによって撮像された第１の患者および危険区域付近の画像をポップアップ表示させることができる。
【００４２】
第４に、呼出発信機から間欠送信電波が送信され、第１の親機６ａで特定した患者の位置情報を第１の親機６ａの表示部に患者の氏名と共に常時表示させ、看護師が必要に応じて第１の親機６ａの該当部分（患者の氏名が表示された部分）をタッチ操作することで、当該患者の画像が特定されたカメラから送信され、ポップアップ等で表示させることができる。
【００４３】
図２は、本発明の他の実施例におけるナースコールシステムのシステム構成図を示している。なお、同図において、図１と共通する部分には同一の符号を付して詳細な説明を省略する。
【００４４】
この実施例においては、図１に示す第１の伝送路Ｌ１に代えて、第１、第２、第３のＬＡＮケーブルＬ１ａ、Ｌ１ｂ、Ｌ１ｃが用いられ、第１のＬＡＮケーブルＬ１ａを介して第１の受信機３ａが、第２のＬＡＮケーブルＬ１ｂを介して第２の受信機３ｂが、第３のＬＡＮケーブルＬ１ｃを介して第３の受信機３ｃがハブ８にそれぞれ並列に接続されている。
【００４５】
この実施例によれば、複数の受信機３ａ〜３ｃと複数のカメラ５ａ〜５ｃとを共用で接続することができ、配線・施工を容易に行なうことができる。
【産業上の利用可能性】
【００４６】
本発明のナースコールシステムは、前述の実施例に限定されず、例えば、次に述べるようにしても、本発明のナースコールシステムと同様の効果を奏する。
【００４７】
第１に、前述の実施例においては、呼出電波の電界強度から、呼出発信機の位置を特定しているが、呼出電波の到達時間から、すなわち、各受信機から送信される電界強度データのうち、最速で送信してくる受信機の近傍に呼出発信機が位置するとし判断してもよい。
【００４８】
第２に、受信機ＩＤに基づいて呼出発信機を携帯する患者を撮像できる複数のカメラを特定し、複数のカメラから送信される画像をポップアップ等のマルチウィンドウシステムを用いて、第１の親機を構成するパーソナルコンピュータに表示してもよい。
【００４９】
第３に、前述のアダプタは、受信機を経由して呼出発信機から受信した呼出電波に無線発信フラグを付加して送出し、親機は無線発信フラグを受信した場合には呼出発信機からの呼び出しであることを呼出通話系統に送信するようにしてもよい。
【００５０】
第４に、病室の個数や受信機、アダプタ、ハブおよびカメラの台数は実施例のものに限定されず、システムの規模に応じて増減することができる。
【図面の簡単な説明】
【００５１】
【図１】本発明の一実施例におけるナースコールシステムのシステム構成図。
【図２】本発明の他の実施例におけるナースコールシステムのシステム構成図。
【符号の説明】
【００５２】
１ａ、１ｂ、１ｃ、１ｄ・・・ベッド子機
２ａ、２ｂ、２ｃ、２ｄ・・・呼出発信機
３ａ、３ｂ、３ｃ・・・受信機
４ａ、４ｂ、４ｃ・・・アダプタ
５ａ、５ｂ、５ｃ・・・カメラ
６ａ・・・第１の親機（電波系親機）
６ａ・・・第２の親機（呼出通話系親機）
８・・・ハブ
Ｌ１・・・電波受信系統
Ｌ４、Ｌ５、Ｌ６、Ｌ７・・・呼出通話系統
【図１】
2005244775.tif 000003
【図２】
2005244775.tif 000004